(57)【特許請求の範囲】
【請求項１】
ｅＮｏｄｅＢ（ｅＮＢ）によって実行される無線通信方法であって、
第１の下り制御情報（ＤＣＩ）をユーザ装置（ＵＥ）に第１の物理下り制御チャネル（ＰＤＣＣＨ）候補または拡張ＰＤＣＣＨ（ＥＰＤＣＣＨ）候補において送信するステップと、
第２のＤＣＩを前記ＵＥに第２のＰＤＣＣＨ候補またはＥＰＤＣＣＨ候補において送信するステップと、
を備え、
前記第２のＰＤＣＣＨ候補またはＥＰＤＣＣＨ候補の割り当ては、定義済みのアルゴリズムによる、前記第１のＰＤＣＣＨ候補またはＥＰＤＣＣＨ候補の割り当てに基づいて判定され、
前記定義済みのアルゴリズムは、無線リソース制御（ＲＲＣ）シグナリングを使用して構成される、
無線通信方法。
【請求項２】
前記第２のＤＣＩは、前記ＵＥに対する干渉を通知するために使用される、請求項１に記載の無線通信方法。
【請求項３】
前記第２のＤＣＩを送信するための適切なＰＤＣＣＨ候補またはＥＰＤＣＣＨ候補のグループが前記定義済みのアルゴリズムによる前記第１のＤＣＩと前記第２のＤＣＩのビットごとの望ましい受信電力の間の所定の関係に基づいて判定される、請求項１に記載の無線通信方法。
【請求項４】
前記定義済みのアルゴリズムは、次式を備える：
【数１】
0006396445.tif 000100
ただし、前記数式において、
【数２】
0006396445.tif 000101
は、前記第１のＤＣＩに対するアグリゲーションレベル（ＡＬ）であり、
【数３】
0006396445.tif 000102
は、前記第２のＤＣＩに対するＡＬであり、
【数４】
0006396445.tif 000103
は、前記第１のＤＣＩに対するビット数であり、
【数５】
0006396445.tif 000104
は、前記第２のＤＣＩに対するビット数であり、
【数６】
0006396445.tif 000105
は、前記第１のＰＤＣＣＨ候補またはＥＰＤＣＣＨ候補の平均化されたチャネル条件を表し、
【数７】
0006396445.tif 000106
は、前記第２のＰＤＣＣＨ候補またはＥＰＤＣＣＨ候補の平均化されたチャネル条件を表し、αは、前記第１のＤＣＩに対するビットごとの前記望ましい受信電力と前記第２のＤＣＩに対するビットごとの前記望ましい受信電力との間の所定の比率を表し、関数ｆは、近似関数を表し、前記近似関数は、関数の結果として、前記関数の引数を前記第２のＤＣＩに対して可能なＡＬの１つに近似させるための関数である、請求項３に記載の無線通信方法。
【請求項５】
前記判定されたグループ内の全ての前記ＰＤＣＣＨ候補またはＥＰＤＣＣＨ候補がブロッキングを生じさせている場合、前記判定されたグループ外の異なるＰＤＣＣＨ候補またはＥＰＤＣＣＨ候補が前記第２のＤＣＩに対して使用される、請求項３に記載の無線通信方法。
【請求項６】
前記判定されたグループ内の前記ＰＤＣＣＨ候補またはＥＰＤＣＣＨ候補の合計数がＵＥ固有のサーチスペース（ＵＳＳ）または共通サーチスペース（ＣＳＳ）内において前記判定されたグループ内で送信されるべき全てのＤＣＩの数より小さい場合、前記ＰＤＣＣＨ候補または前記ＥＰＤＣＣＨ候補は、前記ＵＳＳまたはＣＳＳ外まで拡張される、請求項３に記載の無線通信方法。
【請求項７】
ＡＬにおける前記第２のＰＤＣＣＨ候補またはＥＰＤＣＣＨ候補の割り当て位置は、前記定義済みのアルゴリズムによる、ＡＬにおける前記第１のＰＤＣＣＨ候補またはＥＰＤＣＣＨ候補の割り当て位置に基づいて判定される、請求項１に記載の無線通信方法。
【請求項８】
ＡＬにおける前記第２のＰＤＣＣＨ候補またはＥＰＤＣＣＨ候補の割り当て位置は、次式により判定される：
【数８】
0006396445.tif 000107
ただし、
【数９】
0006396445.tif 000108
であって、
【数１０】
0006396445.tif 000109
であり、
【数１１】
0006396445.tif 000110
であり、
【数１２】
0006396445.tif 000111
であり、
【数１３】
0006396445.tif 000112
であり、
【数１４】
0006396445.tif 000113
は、ＡＬ-Lにおける前記第１のＰＤＣＣＨ候補またはＥＰＤＣＣＨ候補の前記割り当て位置であり、
【数１５】
0006396445.tif 000114
は、ＡＬ-Lにおける前記第２のＰＤＣＣＨ候補またはＥＰＤＣＣＨ候補の前記割り当て位置であり、
【数１６】
0006396445.tif 000115
は、ＡＬ-LにおけるＰＤＣＣＨ候補またはＥＰＤＣＣＨ候補の数であり、ｐは、前記第１のＤＣＩとともに送信されるべきＤＣＩの中で前記第２のＤＣＩの通し番号を表し、
【数１７】
0006396445.tif 000116
は、３ＧＰＰ ＴＳ ３６．２１３において定義され；
【数１８】
0006396445.tif 000117
ただし、
【数１９】
0006396445.tif 000118
であって、
【数２０】
0006396445.tif 000119
であり、
【数２１】
0006396445.tif 000120
であり、
【数２２】
0006396445.tif 000121
であり、
【数２３】
0006396445.tif 000122
であり、
【数２４】
0006396445.tif 000123
は、ＡＬ-L1における前記第１のＰＤＣＣＨ候補またはＥＰＤＣＣＨ候補の前記割り当て位置であり、
【数２５】
0006396445.tif 000124
は、ＡＬ-L2における前記第２のＰＤＣＣＨ候補またはＥＰＤＣＣＨ候補の前記割り当て位置であり、
【数２６】
0006396445.tif 000125
は、ＡＬ-LnにおけるＰＤＣＣＨ候補またはＥＰＤＣＣＨ候補の数であり、Ｐは、前記第１のＤＣＩとともに送信されるべきＤＣＩの中で前記第２のＤＣＩの通し番号を表し、
【数２７】
0006396445.tif 000126
は、３ＧＰＰ ＴＳ ３６．２１３において定義される、請求項７に記載の無線通信方法。
【請求項９】
ＡＬにおける前記第２のＰＤＣＣＨ候補またはＥＰＤＣＣＨ候補の前記割り当て位置を判定する際に、前記第１のＰＤＣＣＨ候補またはＥＰＤＣＣＨ候補に対する前記第２のＰＤＣＣＨ候補またはＥＰＤＣＣＨ候補の割り当て位置の依存性をランダム化するために、追加のオフセットパラメータが考慮される、請求項７に記載の無線通信方法。
【請求項１０】
前記第２のＰＤＣＣＨ候補またはＥＰＤＣＣＨ候補の前記判定された割り当て位置がブロッキングを生じさせる場合、異なるＰＤＣＣＨ候補またはＥＰＤＣＣＨ候補が前記第２のＰＤＣＣＨ候補またはＥＰＤＣＣＨ候補として使用される、請求項７に記載の無線通信方法。
【請求項１１】
前記第２のＰＤＣＣＨ候補またはＥＰＤＣＣＨ候補の前記割り当てを判定するための前記定義済みのアルゴリズムにおいて使用されるパラメータは、前記第１のＰＤＣＣＨ候補またはＥＰＤＣＣＨ候補の割り当て位置により、および/または、前記第１のＤＣＩに対する前記ＰＤＣＣＨまたはＥＰＤＣＣＨにおけるスクランブリングビット、および/または、前記第１のＤＣＩのＤＣＩフォーマットにより、非明示的に、または、ＲＲＣシグナリングにより、明示的に通知される、請求項１に記載の無線通信方法。
【請求項１２】
ユーザ装置（ＵＥ）によって実行される無線通信方法であって、
ｅＮｏｄｅＢ（ｅＮＢ）から第１の物理下り制御チャネル（ＰＤＣＣＨ）候補または拡張ＰＤＣＣＨ（ＥＰＤＣＣＨ）候補において送信される第１の下り制御情報（ＤＣＩ）を検出するステップと、
第１のＰＤＣＣＨ候補またはＥＰＤＣＣＨ候補の割り当てに基づいて、前記ｅＮＢにより第２のＤＣＩを送信するために使用される第２のＰＤＣＣＨ候補またはＥＰＤＣＣＨ候補の割り当てを、定義済みのアルゴリズムによって判定するステップと、
前記ｅＮＢから前記第２のＰＤＣＣＨ候補またはＥＰＤＣＣＨ候補において送信される前記第２のＤＣＩを検出するステップと、
を備え、
前記定義済みのアルゴリズムは、無線リソース制御（ＲＲＣ）シグナリングを使用して構成される、
無線通信方法。
【請求項１３】
前記第２のＰＤＣＣＨ候補またはＥＰＤＣＣＨ候補の割り当てを判定する前記ステップは、前記第１のＤＣＩと前記第２のＤＣＩのビットごとの望ましい受信電力の間の所定の関係に基づいて、前記第２のＤＣＩを送信するために適切なＰＤＣＣＨ候補またはＥＰＤＣＣＨ候補のグループを、前記定義済みのアルゴリズムによって判定するステップを備える、
請求項１２に記載の無線通信方法。
【請求項１４】
前記第２のＤＣＩを送信するために適切なＰＤＣＣＨ候補またはＥＰＤＣＣＨ候補の前記グループを判定後、前記判定されたグループ内で前記第２のＤＣＩを検出し、前記判定されたグループ内において前記第２のＤＣＩが上手く検出されなかった場合、前記判定されたグループ外のＰＤＣＣＨ候補またはＥＰＤＣＣＨ候補をブラインド検出するステップを更に備える、請求項１３に記載の無線通信方法。
【請求項１５】
前記第２のＤＣＩを送信するために適切なＰＤＣＣＨ候補またはＥＰＤＣＣＨ候補の前記グループを判定後、前記判定されたグループ内の前記ＰＤＣＣＨ候補またはＥＰＤＣＣＨ候補の合計数がＵＥ固有のサーチスペース（ＵＳＳ）または共通サーチスペース（ＣＳＳ）内において前記判定されたグループ内で送信されるべきと判定された全てのＤＣＩの数より小さい場合、前記ＵＳＳまたはＣＳＳ内のＰＤＣＣＨ候補またはＥＰＤＣＣＨ候補に加えて、前記ＵＳＳまたはＣＳＳ外のＰＤＣＣＨ候補またはＥＰＤＣＣＨ候補を含めた範囲で、前記第２のＤＣＩを検出するステップをさらに備える、請求項１３に記載の無線通信方法。
【請求項１６】
前記第２のＰＤＣＣＨ候補またはＥＰＤＣＣＨ候補の割り当てを判定する前記ステップは、前記定義済みのアルゴリズムによる、ＡＬにおける前記第１のＰＤＣＣＨ候補またはＥＰＤＣＣＨ候補の前記割り当て位置に基づいて、ＡＬにおける前記第２のＰＤＣＣＨ候補またはＥＰＤＣＣＨ候補の割り当て位置を判定するステップを備える、請求項１２に記載の無線通信方法。
【請求項１７】
ＡＬにおいて、前記第２のＰＤＣＣＨ候補またはＥＰＤＣＣＨ候補の割り当て位置を判定後、前記第２のＤＣＩが前記判定された割り当て位置において上手く検出されなかった場合、他のＰＤＣＣＨ候補またはＥＰＤＣＣＨ候補がブラインド検出される、請求項１６に記載の無線通信方法。
【請求項１８】
無線通信用のｅＮｏｄｅＢ（ｅＮＢ）は、
第１の下り制御情報（ＤＣＩ）をユーザ装置（ＵＥ）に第１の物理下り制御チャネル（ＰＤＣＣＨ）候補または拡張ＰＤＣＣＨ（ＥＰＤＣＣＨ）候補において送信するように構成された第１の送信部と、
第２のＤＣＩを前記ＵＥに第２のＰＤＣＣＨ候補またはＥＰＤＣＣＨ候補において送信するように構成された第２の送信部と、
を備え、
前記第２のＰＤＣＣＨ候補またはＥＰＤＣＣＨ候補の割り当ては、定義済みのアルゴリズムによる、前記第１のＰＤＣＣＨ候補またはＥＰＤＣＣＨ候補の割り当てに基づいて判定され、
前記定義済みのアルゴリズムは、無線リソース制御（ＲＲＣ）シグナリングを使用して構成される、
ｅＮｏｄｅＢ。
【請求項１９】
無線通信用のユーザ装置（ＵＥ）は、
ｅＮｏｄｅＢ（ｅＮＢ）から第１の物理下り制御チャネル（ＰＤＣＣＨ）候補または拡張ＰＤＣＣＨ（ＥＰＤＣＣＨ）候補において送信された第１の下り制御情報（ＤＣＩ）を検出するように構成された第１の検出部と、
前記第１のＰＤＣＣＨ候補またはＥＰＤＣＣＨ候補の割り当てに基づいて、第２のＤＣＩを送信するために前記ｅＮＢにより使用される第２のＰＤＣＣＨ候補またはＥＰＤＣＣＨ候補の割り当てを、定義済みのアルゴリズムによって判定するように構成された判定部と、
前記第２のＰＤＣＣＨ候補またはＥＰＤＣＣＨ候補において前記ｅＮＢから送信される前記の第２のＤＣＩを検出するように構成された第２の検出部と、
を備え、
前記定義済みのアルゴリズムは、無線リソース制御（ＲＲＣ）シグナリングを使用して構成される、
ユーザ装置。
【発明の詳細な説明】
【技術分野】
【０００１】
本開示は無線通信分野に関連し、特に、下り制御情報（downlink control information(ＤＣＩ)）をやりとりする無線通信方法、および、その方法に対するｅＮｏｄｅＢ（ｅＮＢ）およびユーザ機器（user equipment（ＵＥ））に関する。
【背景技術】
【０００２】
無線通信において、２つ以上のＤＣＩを送信する必要があることがある。例えば、ＮＡＩＣＳ(Network-Associated Interference Cancellation and Suppression)に対して、干渉を通知するために新たなＤＣＩが必要とされる。ＮＡＩＣＳは、ＬＴＥ（Long Term Evolution）のリリース１２（Ｒｅｌ.１２）における検討事項（Study Item（ＳＩ））であり、ＵＥ側において、ネットワークシグナリングの支援によって、干渉を解消・抑制するための高度な受信機を実現することを目的としている。ＮＡＩＣＳの検討事項の主要なタスクは、セル間、セル内、または、ストリーム間の同一チャネル干渉を、ネットワークの支援により軽減する改良受信機を分析することである。
【０００３】
ＮＡＩＣＳにおいて、ＵＥにおける高度な受信機は、ｅＮＢの通知を用いて干渉信号の実効チャネルを推定でき、干渉信号を復調し、復号できる。干渉信号の解消・抑制を目的として、ＵＥにおける高度な受信機は、チャネル推定・復調・複合のために、干渉信号についての必要情報をネットワークから通知を介して取得すべきである。
【０００４】
干渉は、与干渉セルの動的にスケジュールされた信号であり得るので、バックホール（backhaul）が理想的であれば、干渉通知（interference indication）は、サービングセル（serving cell）からのＬ１シグナリング（例えば、物理下り制御チャネル(ＰＤＣＣＨ）または、拡張ＰＤＣＣＨ（ＥＰＤＣＣＨ）)のユニキャスト（unicast）通知になり得る。これに対して、セル固有情報など長期にわたる情報は、無線リソース制御（ＲＲＣ）によってシグナリングされ得る。サービングセル・隣接セルにおいてある程度のスケジュール制限、または、被干渉ＵＥにおいてさらなる復号複雑性がおそらく必要とされる干渉パラメータも、被干渉ＵＥにより、ブラインド検出されうる。例えば、隣接セルのＰｈｙｓＣｅｌｌＩＤ（ＰＣＩ）は、ＲＲＣシグナリングに代えて、セルサーチ手順により、検出されうる。また、ＤＭＲＳ（Demodulation Reference Signal）ベースの送信モード（TM）干渉のＲＢ（Resource Block）割り当て（allocation）は、Ｌ１シグナリングに代えて、非常に制限された数値とＤＭＲＳの相関性をチェックすることにより、検出されうるし、変調多値数も、明示的通知に代えて、受信機によるブラインド試行で特定されうる。
【０００５】
ブラインド検出・試行は、スケジューリングの柔軟性を制限することにより、被干渉ＵＥにおける更なる処理の複雑性を必要とするか、システムパフォーマンスが減少する。従って、ＮＡＩＣＳのシステム設計において、ＵＥの複雑性とシステムパフォーマンス（シグナリングオーバーヘッドおよび/またはスケジューリングの柔軟性）のバランスを取る必要がある。さらに、パラメータによっては、許容範囲にあるパフォーマンス損失または複雑性、例えば、ＴＰＭＩ（Transmitted Precoding Matrix Indicator）およびＣＲＳ（Cell-Specific Reference Signal）ベースのＴＭのＲＢ割り当てにおいて、ブラインド検出・試行を行うことができず、このような情報に対してＬ１シグナリングは、より適切である。尚、本開示において、Ｌ１シグナリングにおいて送信されるべき情報は、上記に限定されず、Ｌ１シグナリングを使用して通知されうる情報の全てが含まれる。
【０００６】
Ｌ１シグナリングに対してブラインド復号（BD）が使用されるように、例として、ＰＤＣＣＨを用いて、ＢＤ手順は、以下のように導入されうる。
→サーチスペース：アグリゲーションレベル（AL）ごとの候補の数
・ＵＥ固有のサーチスペース（USS）：合計１６（6/AL1、6/AL2、2/AL4、2/AL8）
・共通サーチスペース（CSS）：合計６（4/AL4、2/AL8）
→モニターされるＤＣＩフォーマットの数
ＵＳＳ：２[ＤＣＩフォーマット４がサポートされている場合は３]
ＣＳＳ：２
→合計ＢＤ試行数：候補の数 ×モニターされるＤＣＩフォーマットの数
ＵＳＳ：３２[ＤＣＩフォーマット４がサポートされている場合は４８]；ＣＳＳ：１２
【０００７】
第２のＤＣＩ（例えば、与干渉通知のための新しいＤＣＩ）が第１のＤＣＩ（例えば、ＵＥにリソースを割り当てるための従来のＤＣＩ）とともに、例えば、ＵＳＳにおいて送信される時、合計ＢＤ試行は、増加する。例えば、与干渉通知のための新しいＤＣＩが従来のＤＣＩとともに送信された場合、ＵＳＳにおけるＤＣＩフォーマットの数は２から３（ＤＣＩフォーマット４がサポートされている場合は、３から４）に増えうる。ＵＳＳにおける合計ＢＤ試行は、５０％（ＤＣＩフォーマット４がサポートされている場合は、３３％）増加し、増加したＢＤ試行数は、最大１６となる。従来の方法における問題は、ＢＤ受信機は、復号遅延を変更（ＵＥのチップセットにおいて大きな変更となる）せず、維持するためには、復号能力の１５０％（ＤＣＩフォーマット４がサポートされている場合は、１３３％）が必要となり、ＢＤ受信機は、同じ復号能力を維持した場合（特にＥＰＤＣＣＨ通知に対してＰＤＳＣＨ復号に対する残り時間が短くなる）、ＢＤ受信機は、１５０％の復号遅延を起こす（ＤＣＩフォーマット４がサポートされている場合は、１３３％）。従って、第２のＤＣＩにより導入された追加のＢＤ試行をどのように減らすかは、現実的な実装において非常に重要である。
【発明の概要】
【発明が解決しようとする課題】
【０００８】
本開示は、ＤＣＩに対するＢＤ試行を減らすために上記を考慮してなされる。
【課題を解決するための手段】
【０００９】
本開示の第１の態様において、以下の無線通信方法が提供される。この無線通信方法は、ｅＮｏｄｅＢ（ｅＮＢ）によって実行される無線通信方法であって、第１の下り制御情報（ＤＣＩ）をユーザ装置（ＵＥ）に第１の物理下り制御チャネル（ＰＤＣＣＨ）候補または拡張ＰＤＣＣＨ（ＥＰＤＣＣＨ）において送信するステップと、第２のＤＣＩを前記ＵＥに第２のＰＤＣＣＨ候補またはＥＰＤＣＣＨ候補において送信するステップと、を備え、前記第２のＰＤＣＣＨ候補またはＥＰＤＣＣＨ候補の割り当ては、定義済みのアルゴリズムによる、前記第１のＰＤＣＣＨ候補またはＥＰＤＣＣＨ候補の割り当てに基づいて判定され、前記定義済みのアルゴリズムは、無線リソース制御（ＲＲＣ）シグナリングを使用して構成される、または、仕様により固定される。
【００１０】
本開示の第２の態様において、以下の無線通信方法が提供される。この無線通信方法は、ユーザ装置（ＵＥ）によって実行される無線通信方法であって、ｅＮｏｄｅＢ（ｅＮＢ）から第１の物理下り制御チャネル（ＰＤＣＣＨ）候補または拡張ＰＤＣＣＨ（ＥＰＤＣＣＨ）候補において送信される第１の下り制御情報（ＤＣＩ）を検出するステップと、定義済みのアルゴリズムによる第１のＰＤＣＣＨ候補またはＥＰＤＣＣＨ候補の割り当てに基づいて、前記ｅＮＢにより第２のＤＣＩを送信するために使用される第２のＰＤＣＣＨ候補またはＥＰＤＣＣＨ候補の割り当てを判定するステップと、前記ｅＮＢから前記第２のＰＤＣＣＨ候補またはＥＰＤＣＣＨ候補において送信される前記第２のＤＣＩを検出するステップと、を備え、前記定義済みのアルゴリズムは、無線リソース制御（ＲＲＣ）シグナリングを使用して構成される、または、仕様により固定される。
【００１１】
本開示の第２の態様において、以下の無線通信用のｅＮｏｄｅＢ（ｅＮＢ）が提供される。このｅＮＢは、第１の下り制御情報（ＤＣＩ）をユーザ装置（ＵＥ）に第１の物理下り制御チャネル（ＰＤＣＣＨ）候補または拡張ＰＤＣＣＨ（ＥＰＤＣＣＨ）候補において送信するように構成された第１の送信部と、第２のＤＣＩを前記ＵＥに第２のＰＤＣＣＨ候補またはＥＰＤＣＣＨ候補において送信するように構成された第２の送信部と、を備え、前記第２のＰＤＣＣＨ候補またはＥＰＤＣＣＨ候補の割り当ては、定義済みのアルゴリズムによる、前記第１のＰＤＣＣＨ候補またはＥＰＤＣＣＨ候補の割り当てに基づいて判定され、前記定義済みのアルゴリズムは、無線リソース制御（ＲＲＣ）シグナリングを使用して構成される、または、仕様により固定される。
【００１２】
本開示の第２の態様において、無線通信用のユーザ装置（ＵＥ）が提供される。このＵＥは、ｅＮｏｄｅＢ（ｅＮＢ）から第１の物理下り制御チャネル（ＰＤＣＣＨ）候補または拡張ＰＤＣＣＨ（ＥＰＤＣＣＨ）候補において送信された第１の下り制御情報（ＤＣＩ）を検出するように構成された第１の検出部と、定義済みのアルゴリズムによる、前記第１のＰＤＣＣＨ候補またはＥＰＤＣＣＨ候補の割り当てに基づいて、第２のＤＣＩを送信するために前記ｅＮＢにより使用される第２のＰＤＣＣＨ候補またはＥＰＤＣＣＨ候補の割り当てを判定するように構成された判定部と、前記第２のＰＤＣＣＨ候補またはＥＰＤＣＣＨ候補において前記ｅＮＢから送信される前記の第２のＤＣＩを検出するように構成された第２の検出部と、を備え、前記定義済みのアルゴリズムは、無線リソース制御（ＲＲＣ）シグナリングを使用して構成される、または、仕様により固定される。
【００１３】
前述は要約であり、従って、詳細の単純化、一般化および省略を必然的に含んでいる。本明細書に記載される、他の態様、特徴、装置および／またはプロセスおよび／または、他の主題の利点は、本明細書で説明される教示の中で明らかになるであろう。要約は、以下の発明を実施するための形態の中でさらに記述される単純化した形式で概念の選択を紹介するために提供される。この要約は、特許請求される主題の重要な特徴または不可欠な特徴を特定することを意図したものではなく、また、特許請求される主題の範囲を判断する際の助けとして使用されることを意図したものでもない。
【図面の簡単な説明】
【００１４】
本開示の前述と他の特徴は、添付の図面と併せて、次の説明と添付の特許請求の範囲からより完全に明らかになるであろう。これらの図面は本開示によるいくつかの実施形態のみを描いており、従って、その範囲を制限するものと見なされないことを理解して、本開示は添付の図面の利用を通して、追加の特異性と詳細によって記述されるであろう。
【図１】本開示の第１の実施形態に係る、ｅＮＢ側の無線通信方法を示す図
【図２】本開示の第１の実施形態に係るｅＮＢを示すブロック図
【図３】本開示の第１の実施形態に係る、ＵＥ側の無線通信方法を示す図
【図４】本開示の第１の実施形態に係るＵＥを示すブロック図
【図５】本開示の第２の実施形態に係る、1つの分配されたＥＰＤＣＣＨ−ＰＲＢ−setにおける第１のＥＰＤＣＣＨと第２のＥＰＤＣＣＨを概略的に示す図
【図６】本開示の第２の実施形態に係る、２つの異なるＥＰＤＣＣＨ−ＰＲＢ−setsにおける第１のＥＰＤＣＣＨと第２のＥＰＤＣＣＨを概略的に示す図
【図７】本開示の第３の実施形態に係る、第１のＤＣＩに対する第２のＤＣＩの割り当て位置依存性を概略的に示す図
【発明を実施するための形態】
【００１５】
以下の詳細な説明において、その一部をなす添付の図面を参照する。図面において同一の符号は、別段文脈によって示されない限り、一般に同一の構成要素を特定する。本開示の態様は、幅広い様々な構成において配置、置き換え、組み合わせおよび設計されることができることは容易に理解されよう。これらの全ては、明確に企図されており、本開示の一部をなす。
【００１６】
（第１の実施形態）
本開示において、２つ以上のＤＣＩが無線通信において送信された時のＢＤ試行を減らすために、第１のＤＣＩの(Ｅ)ＰＤＣＣＨ（ＰＤＣＣＨまたはＥＰＤＣＣＨをいう）と第２のＤＣＩの(Ｅ)ＰＤＣＣＨとの間の依存性を、第２のＤＣＩに対して使用される(Ｅ)ＰＤＣＣＨ候補の割り当てを通知するために使用することを提案する。
【００１７】
本開示の第１の実施形態によれば、図１に示すようなｅＮＢにより実行される無線通信方法１００が提供される。無線通信方法１００は、第１のＤＣＩをＵＥに第１のＰＤＣＣＨ候補またはＥＰＤＣＣＨ候補において送信するステップ１０１を備える。第１のＤＣＩは、ＬＴＥのリリース８−１１において定義される従来のＤＣＩまたは干渉通知用のＤＣＩ等、他のＤＣＩでありうる。この方法１００は、第２のＤＣＩをＵＥに第２のＰＤＣＣＨ候補またはＥＰＤＣＣＨ候補（単に(Ｅ)ＰＤＣＣＨ候補ともいう）において送信するステップ１０２を備える。第２のＤＣＩは、干渉通知用のＤＣＩとなりうることが好ましいが、ＬＴＥのリリース８−１１またはその後のリリースにおいて定義される従来のＤＣＩ等、他のＤＣＩにもなりえる。第１または第２のＤＣＩのタイプは、本開示において限定されない。第１の実施形態によれば、第２のＰＤＣＣＨ候補またはＥＰＤＣＣＨ候補の割り当ては、ＲＲＣシグナリングを使用して構成される、または、仕様により固定される定義済みのアルゴリズムによる、第１のＰＤＣＣＨ候補またはＥＰＤＣＣＨ候補の割り当てに基づいて判定される。換言すれば、第２のＤＣＩに対する第２の(Ｅ)ＰＤＣＣＨは、ｅＮＢおよびＵＥの両方に既知の割り当てルール（アルゴリズム）による第１のＤＣＩに対する第１の(Ｅ)ＰＤＣＣＨ候補に依存して選択される。このアルゴリズムは、ｅＮＢおよびＵＥの両方に既知となるように仕様により固定されうる、または、ＲＲＣを使用して構成されうる。このような状況下において、ＵＥは、第１のＤＣＩを検出した後で、第２の(Ｅ)ＰＤＣＣＨに関する情報を取得するので、第２のＤＣＩをブラインド検出する必要が無くなる、または、第２の(Ｅ)ＰＤＣＣＨについての一部のまたは全ての情報（例えば、アグリゲーションレベル）は、定義済みのアルゴリズムおよび検出された第１のＤＣＩに基づいて、既知であるため、少なくともＢＤ試行数は減る。
【００１８】
第１の実施形態において、第２の(Ｅ)ＰＤＣＣＨの割り当てを判定するために使用される定義済みのアルゴリズムは、いずれの適切な割り当てルールであってよく、第１の実施形態において限定されない。例えば、第２のＤＣＩに対するアグリゲーションレベル（ＡＬ）は、例えば、第１の(Ｅ)ＰＤＣＣＨ候補および第２の(Ｅ)ＰＤＣＣＨ候補のビットごとの受信電力が同じになるように、または、第１の(Ｅ)ＰＤＣＣＨ候補のＡＬと第２の(Ｅ)ＰＤＣＣＨ候補のＡＬのＡＬオフセットが存在するように、第１のＤＣＩのアグリゲーションレベルに基づいて判定されてもよく、または、第２のＤＣＩを送信するために適切な(Ｅ)ＰＤＣＣＨ候補のグループが、第１のＤＣＩと第２のＤＣＩのビットごとの望ましい受信電力の間の所定の関係に基づいて、決定されうる。このアルゴリズムの他の例として、第２のＰＤＣＣＨ候補またはＥＰＤＣＣＨ候補のＡＬにおける割り当て位置（すなわち、そのＡＬにおけるスタート候補からのオフセット）は、例えば、第２の(Ｅ)ＰＤＣＣＨ候補と第１の(Ｅ)ＰＤＣＣＨ候補の割り当て位置の間に定義済みまたは通知済みの差分が存在するように、そのＡＬにおける第１のＰＤＣＣＨ候補またはＥＰＤＣＣＨ候補の割り当て位置に基づいて決定されうる。以下の第２および第３の実施形態において、具体的なアルゴリズムが詳細に説明される。
【００１９】
さらに、第２の(Ｅ)ＰＤＣＣＨ候補の割り当てを判定するための定義済みアルゴリズムにおいて使用される一部または全てのパラメータは、第１の(Ｅ)ＰＤＣＣＨ候補の割り当て位置、第１のＤＣＩに対する(Ｅ)ＰＤＣＣＨにおけるスクランブリングビット、および/または、第１のＤＣＩのＤＣＩフォーマットにより、非明示的に通知されうる、または、ＲＲＣシグナリングにより明示的に通知されうる。パラメータは、上述したようなＡＬオフセット、上述したような割り当て位置差分、ＤＣＩフォーマット、または、その他、第２の(Ｅ)ＰＤＣＣＨ候補の割り当てを判定するために使用される適切なパラメータでありうる。以下の第３の実施形態からわかる通り、上述のパラメータは、第１の(Ｅ)ＰＤＣＣＨに対する第２の(Ｅ)ＰＤＣＣＨの割り当て依存性をさらにランダム化するためのパラメータでありうる。
【００２０】
上述のパラメータ（例えば、ＡＬオフセットまたは割り当て位置差分）は、第１の(Ｅ)ＰＤＣＣＨ候補の割り当て位置（すなわち、ＡＬにおけるスタート候補から(Ｅ)ＰＤＣＣＨ候補のオフセット）により非明示的に通知されうる。例えば、オフセットの偶数または奇数番号は、ＡＬオフセットまたは割り当て位置差分の異なる値を通知するために使用されうる。
【００２１】
これに代えて、あるいは、これに加えて、パラメータ（例えば、ＡＬオフセットまたは割り当て位置差分）は、第１のＤＣＩに対する(Ｅ)ＰＤＣＣＨにおけるスクランブリングビットによって非明示的に通知されうる。例えば、追加の１ビット、ｑ（スクランブリングビット）は、以下の数式１に示すように、ＣＲＣ（Cyclic Redundancy Check）スクランブリングのために使用されうる:
【数１】
0006396445.tif 000002
ただし、
【数２】
0006396445.tif 000003
は、１ビット幅ｑから１５ビット幅の２進数への移行を意味し、Ａは、ペイロードサイズであり、
【数３】
0006396445.tif 000004
【数４】
0006396445.tif 000005
【数５】
0006396445.tif 000006
【数６】
0006396445.tif 000007
(ＵＥ送信アンテナ選択マスク：UE transmit antenna selection mask)は、本明細書に参照により組み込まれた3GPP TS 36.212: “Evolved Universal Terrestrial Radio Access (E-UTRA); Multiplexing and channel coding”に定義された意味を持つ。この場合、スクランブリングビットｑ（０または１）はＡＬオフセットまたは割り当て位置差分の異なる値を通知するために使用されうる。
【００２２】
これに代えて、あるいは、これに加えて、上記のパラメータ（例えば、ＡＬオフセットまたは割り当て位置差分）は、第１のＤＣＩのＤＣＩフォーマットにより、非明示的に通知されうる。例えば、第１のＤＣＩが従来のＤＣＩである場合、ＲＲＣシグナリングによって構成される各ＴＭに対するＵＳＳにおいて、モニターされる２つのＤＣＩフォーマットが存在する。従って、上記のパラメータは、従来のＤＣＩの異なるＤＣＩフォーマットによって、非明示的に通知されうる。例えば、ＤＣＩフォーマット１Ａと２は、ＴＭ４に対してモニターされうる。ＤＣＩフォーマット１Ａが復号された場合、上記のパラメータは、“０”により表されうる値であり、そうでなれば、ＤＣＩフォーマット２が復号され、上記のパラメータは、“１”により表される値でありうる。
【００２３】
これに代えて、上記のパラメータ（例えば、ＡＬオフセットまたは割り当て位置差分）は、ＲＲＣシグナリングにより明示的に通知されうる。
【００２４】
第１の実施形態において、上述の方法を実行するためのｅＮＢが提供される。図２は、本開示の第１の実施形態に係るｅＮＢ２００を示すブロック図である。このｅＮＢ２００は、第１の下り制御情報（ＤＣＩ）をユーザ装置（ＵＥ）に第１の物理下り制御チャネル（ＰＤＣＣＨ）候補または拡張ＰＤＣＣＨ（ＥＰＤＣＣＨ）候補において送信するように構成された第１の送信部２０１と、第２のＤＣＩをＵＥに第２のＰＤＣＣＨ候補またはＥＰＤＣＣＨ候補において送信するように構成された第２の送信部２０２と、を備え、第２のＰＤＣＣＨ候補またはＥＰＤＣＣＨ候補の割り当ては、無線リソース制御（ＲＲＣ）シグナリングを使用して構成される、または、仕様により固定される定義済みのアルゴリズムによる第１のＰＤＣＣＨ候補またはＥＰＤＣＣＨ候補の割り当てに基づいて、判定される。
【００２５】
本開示に係るｅＮＢ２００は、ｅＮＢ２００内の様々なデータおよび各部の制御動作を処理するために関連プログラムを実行するＣＰＵ（central processing unit）２１０と、ＣＰＵ２１０によって実行される様々な処理および制御を行うために必要とされる様々なプログラムを格納するＲＯＭ（read only memory）２１３と、ＣＰＵ２１０によって実行される処理および制御の手順において、一時的に生成される中間データを格納しておくためのＲＡＭ（random access memory）２１５、および／または、様々なプログラムやデータ等を格納しておく格納部２１７を備えていてもよい。上述の第１の送信部２０１と第２の送信部２０２、ＣＰＵ２１０、ＲＯＭ２１３、ＲＡＭ２１５および/または格納部２１７等は、データおよび/またはコマンドバス２２０を介して、相互接続され、相互間で信号を伝達してよい。
【００２６】
上述した各部は、本開示の範囲を限定するものではない。本開示の１つの実装によれば、上述の第１の送信部２０１と第２の送信部２０２の機能は、ハードウェアで実現され、上述のＣＰＵ２１０、ＲＯＭ２１３、ＲＡＭ２１５および/または格納部２１７は不要となり得る。または、上述の第１の送信部２０１と第２の送信部２０２の機能は、上述のＣＰＵ２１０、ＲＯＭ２１３、ＲＡＭ２１５および/または格納部２１７等と機能ソフトウェアの組み合わせによって、実現され得る。
【００２７】
従って、ＵＥ側において、第１の実施形態は、図３に示すように、無線通信方法３００として実装されうる。特に、方法３００は、第１の物理下り制御チャネル（ＰＤＣＣＨ）候補または、拡張ＰＤＣＣＨ（ＥＰＤＣＣＨ）候補において、ｅＮＢから送信される第１の下り制御情報（ＤＣＩ）を検出するステップ３０１と、第２のＤＣＩを送信するためにｅＮＢにより使用された第２のＰＤＣＣＨ候補またはＥＰＤＣＣＨ候補の割り当てを、無線リソース制御（ＲＲＣ）シグナリングを使用して構成された、または、仕様により固定された定義済みのアルゴリズムによる第１のＰＤＣＣＨ候補またはＥＰＤＣＣＨ候補の割り当てに基づいて判定するステップ３０２と、第２のＰＤＣＣＨ候補またはＥＰＤＣＣＨ候補において、ｅＮＢから送信された第２のＤＣＩを検出するステップ３０３と、を備える。ＵＥ側において、第１のＤＣＩを検出後、ＵＥは、定義済みのアルゴリズムとともに第１のＤＣＩの第１の（Ｅ）ＰＤＣＣＨ候補についての情報に基づいて、第２の（Ｅ）ＰＤＣＣＨ候補の割り当て（例えば、ＡＬおよび/または割り当て位置）についての情報を判定しうる。ＵＥは、判定された情報の助けにより第２のＤＣＩを検出できるので、ＢＤ試行は回避されうる、または、少なくとも減らしうる。
【００２８】
加えて、第１の実施形態において、上述の方法を実行するためにＵＥが提供される。図４は、本開示の第１の実施形態に係るＵＥ４００を示すブロック図である。このＵＥ４００は、第１の物理下り制御チャネル（ＰＤＣＣＨ）候補または拡張ＰＤＣＣＨ（ＥＰＤＣＣＨ）候補において、ｅＮｏｄｅＢ（ｅＮＢ）から送信された第１の下り制御情報（ＤＣＩ）を検出するように構成された第１の検出部４０１と、ｅＮＢにより、第２のＤＣＩを送信するために使用された第２のＰＤＣＣＨ候補またはＥＰＤＣＣＨ候補の割り当てを、仕様により固定される、または、無線リソース制御（ＲＲＣ）シグナリングを使用して構成される定義済みのアルゴリズムによる第１のＰＤＣＣＨ候補またはＥＰＤＣＣＨ候補の割り当てに基づいて、判定するように構成された判定部４０２と、第２のＰＤＣＣＨ候補またはＥＰＤＣＣＨ候補において、ｅＮＢから送信された第２のＤＣＩを検出するように構成された第２の検出部４０３と、を備える。
【００２９】
本開示に係るＵＥ４００は、ＵＥ４００内の様々なデータおよび各部の制御動作を処理するために関連プログラムを実行するＣＰＵ（central processing unit）４１０と、ＣＰＵ１４１０によって実行される様々な処理および制御を行うために必要とされる様々なプログラムを格納するＲＯＭ（read only memory）４１３と、ＣＰＵ４１０によって実行される処理および制御の手順において、一時的に生成される中間データを格納しておくためのＲＡＭ（random access memory）４１５、および／または、様々なプログラムやデータ等を格納しておく格納部４１７を備えていてもよい。上述の第１の検出部４０１、判定部４０２、第２の検出部４０３、ＣＰＵ４１０、ＲＯＭ４１３、ＲＡＭ４１５および/または格納部４１７等は、データおよび/またはコマンドバス４２０を使用して、相互接続され、相互間で信号を伝達してよい。
【００３０】
上述した各部は、本開示の範囲を限定するものではない。本開示の１つの実装によれば、上述の第１の検出部４０１と、判定部４０２と、第２の検出部４０３の機能は、ハードウェアで実現され、上述のＣＰＵ４１０、ＲＯＭ４１３、ＲＡＭ４１５および/または格納部４１７は不要となり得る。または、上述の第１の検出部４０１と、判定部４０２と、第２の検出部４０３の機能は、上述のＣＰＵ４１０、ＲＯＭ４１３、ＲＡＭ４１５および/または格納部４１７等と機能ソフトウェアの組み合わせによって、実現され得る。
【００３１】
（第２の実施形態）
第２の実施形態は、第１の実施形態の好ましい実装であり、第１の実施形態の記載は、別段文脈によって示されない限り、第２の実施形態にも適用される。
【００３２】
第２の実施形態において、第２のＤＣＩを送信するために適切なＰＤＣＣＨ候補またはＥＰＤＣＣＨ候補のグループが、ＲＲＣシグナリングを使用して構成される、または、仕様により固定される定義済みのアルゴリズムによる第１のＤＣＩと第２のＤＣＩのビットごとの望ましい受信電力の間の所定の関係に基づいて、判定されうる。
【００３３】
具体的には、定義済みのアルゴリズムは、次式を備える：
【数７】
0006396445.tif 000008
ただし、
【数８】
0006396445.tif 000009
は、第１のＤＣＩに対するアグリゲーションレベル（ＡＬ）であり、
【数９】
0006396445.tif 000010
は、第１のＤＣＩに対するＡＬであり、
【数１０】
0006396445.tif 000011
は、第１のＤＣＩに対するビット数であり、
【数１１】
0006396445.tif 000012
は、第２のＤＣＩに対するビット数であり、
【数１２】
0006396445.tif 000013
は、第１のＰＤＣＣＨ候補またはＥＰＤＣＣＨ候補の平均化されたチャネル条件を表し、
【数１３】
0006396445.tif 000014
は、第２のＰＤＣＣＨ候補またはＥＰＤＣＣＨ候補の平均化されたチャネル条件を表し、αは、第１のＤＣＩに対するビットごとの望ましい受信電力と、第２のＤＣＩに対するビットごとの望ましい受信電力との間の所定の比率（第１のＤＣＩと第２のＤＣＩのビットごとの望ましい受信電力の間の所定の関係の例）を表し、関数ｆは、関数の結果として、第２のＤＣＩ対して可能なＡＬの１つを関数の引数として近似させるための近似関数を表す。
【００３４】
第２の実施形態において、ＵＥ側における第１のＤＣＩと第２のＤＣＩに対するビットごとの望ましい受信電力は、比率αを有する必要があるとする。第１のＤＣＩが第２のＤＣＩと同じ送信信頼性を必要とする場合、比率αは１となる。第１のＤＣＩが第２のＤＣＩより高い送信信頼性を必要とする場合、比率αは１より大きくとなる。
【００３５】
さらに、第１の(Ｅ)ＰＤＣＣＨ候補および第２の(Ｅ)ＰＤＣＣＨは、平均されたチャネル条件
【数１４】
0006396445.tif 000015
および
【数１５】
0006396445.tif 000016
を受けるものとする。平均されたチャネル条件
【数１６】
0006396445.tif 000017
および
【数１７】
0006396445.tif 000018
は、それぞれの(Ｅ)ＰＤＣＣＨ候補に対する平均された信号劣化を表し、
【数１８】
0006396445.tif 000019
および
【数１９】
0006396445.tif 000020
が大きくなるほど、信号劣化は小さくなる。例として、
【数２０】
0006396445.tif 000021
または
【数２１】
0006396445.tif 000022
は(Ｅ)ＰＤＣＣＨ候補における(Ｅ)ＣＣＥの数で分割される(Ｅ)ＰＤＣＣＨ候補の合計受信電力として表されうる。
【数２２】
0006396445.tif 000023
または
【数２３】
0006396445.tif 000024
の算出について、ｅＮＢとＵＥはともに、ＵＥからのＣＳＩ(チャネル状態情報)フィードバックによる、または、ＴＤＤ（時分割二重）において、ＤＬ（ＰＤＳＣＨ／ＰＤＣＣＨ）とＵＬ（ＳＲＳ／ＰＵＳＣＨ／ＰＵＣＣＨ）との間のチャネル相互関係を利用することにより、一義的な計算に対して同じ
【数２４】
0006396445.tif 000025
または
【数２５】
0006396445.tif 000026
の値を使用すべきである。例えば、
【数２６】
0006396445.tif 000027
または
【数２７】
0006396445.tif 000028
は、ＣＱＩ(チャネル品質インジケータ)を用いたＣＳＩフィードバックを介して取得されうる。ＵＥは、システム帯域全体において、ＣＲＳの受信電力を検出することにより、ＵＥは、システム帯域全体における各サブバンドのＣＱＩを報告できる。ＵＥとｅＮＢはともに、各ＭＣＳの有効なＳＮＲ(すなわち、現在のＭＣＳのＢＬＥＲ＝１０％の時のＳＮＲ値)をチェックすることにより、対応するＣＱＩ(ＭＣＳ)のＳＮＲを取得でき、ＳＮＲ値は、このサブバンドの同等の電力として理解されうる。ある(Ｅ)ＰＤＣＣＨ候補について、この(Ｅ)ＰＤＣＣＨ候補の合計電力は、(Ｅ)ＣＣＥの電力を合計することにより算出されうる。(Ｅ)ＣＣＥごとの平均された電力（
【数２８】
0006396445.tif 000029
または
【数２９】
0006396445.tif 000030
とされる）は、(Ｅ)ＰＤＣＣＨ候補の(Ｅ)ＣＣＥ(すなわち、ＡＬ)の数により分割される(Ｅ)ＰＤＣＣＨ候補の合計電力と等しい。結果として、ＵＥとｅＮＢはともに
【数３０】
0006396445.tif 000031
または
【数３１】
0006396445.tif 000032
の同じ値を取得できる。尚、
【数３２】
0006396445.tif 000033
および
【数３３】
0006396445.tif 000034
は、チャネル条件を表す絶対値または相対値でありうる。
【００３６】
数式２において、関数ｆは、第２のＤＣＩに対する可能なＡＬの１つになりえる算出されたＡＬ（すなわち、１つの(Ｅ)ＰＤＣＣＨ候補における(Ｅ)ＣＣＥの数）を得るために使用され、例えば、算出されたＡＬをＰＤＣＣＨ対して属する値｛１、２、４、８｝と、ＥＰＤＣＣＨ対して属する値｛１、２、４、８、１６、３２｝に近似させる。使用されうる３つの近似方法は、値を最も近いＡＬに近似させること（丸める（round））、その値より小さい最も近いＡＬに近似させること（切り捨て（rounddown））と、その値より大きい最も近いＡＬに近似させること（切り上げ（roundup））がある。これらの近似方法は、ＲＲＣシグナリングを使用して構成されうる、または、仕様により固定されうる。
【００３７】
第２の実施形態の第１の例として、第１の(Ｅ)ＰＤＣＣＨ候補と第２の(Ｅ)ＰＤＣＣＨ候補に対する平均されたチャネル条件が同じである、すなわち、
【数３４】
0006396445.tif 000035
と仮定する。例えば、第１のＤＣＩと第２のＤＣＩがともにＰＤＣＣＨである場合、または、分散マッピングによる１つの同じＥＰＤＣＣＨ-ＰＲＢ-setである場合、上述の仮定は、満たされうる。図５は、本開示の第２の実施形態による１つの分散されたＥＰＤＣＣＨ-ＰＲＢ-setにおける第１のＥＰＤＣＣＨと第２のＥＰＤＣＣＨを概略的に示す。この場合、第２のＤＣＩに対するＡＬ
【数３５】
0006396445.tif 000036
は、数式２により直接判定されうる。換言すれば、判定されたＡＬにおいて(Ｅ)ＰＤＣＣＨ候補は、第２のＤＣＩを送信するために適切な(Ｅ)ＰＤＣＣＨ候補のグループを構成する。２つの計算例を以下に示す。
【００３８】
１）第１のＤＣＩと第２のＤＣＩはＰＤＣＣＨにおいて送信される。
【数３６】
0006396445.tif 000037
【数３７】
0006396445.tif 000038
【数３８】
0006396445.tif 000039
【数３９】
0006396445.tif 000040
の場合、
【数４０】
0006396445.tif 000041
となる。
【００３９】
この具体例において、ＡＬ４（丸めまたは切り捨て）またはＡＬ８（切り上げ）における全ての(Ｅ)ＰＤＣＣＨ候補は、第２のＤＣＩを送信するために適切な(Ｅ)ＰＤＣＣＨ候補のグループを構成する。
【００４０】
２）第１のＤＣＩと第２のＤＣＩは、ＥＰＤＣＣＨにおいて送信される。ケース１（Case 1（本明細書に参照により組み込まれた3GPP TS 36.213において定義された））において、８個のＲＢが１つの分散されたＥＰＤＣＣＨ-ＰＲＢ-setに割り当てられたと仮定すると、各ＡＬにおけるＥＰＤＣＣＨ候補の数は、3GPP TS 36.213の表9.1.4-1aからわかる。
【数４１】
0006396445.tif 000042
の場合、
【数４２】
0006396445.tif 000043
となる。
【００４１】
この具体例において、ＡＬ８（丸めまたは切り捨て）またはＡＬ１６（切り上げ）における全ての(Ｅ)ＰＤＣＣＨ候補は、第２のＤＣＩを送信するために適切な(Ｅ)ＰＤＣＣＨ候補のグループを構成する。
【００４２】
第２の実施形態の第１の例によれば、ｅＮＢにおける(Ｅ)ＰＤＣＣＨ割り当てと、ＵＥにおける(Ｅ)ＰＤＣＣＨのＢＤがともにＡＬ依存性の同じ計算を使用する場合、ＢＤに対するＡＬの数を１つのみに減らすことができ、第２のＤＣＩに対するＢＤ試行を大きく減らしうる。
【００４３】
第２の実施形態の第２の例として、第１のＤＣＩと第２のＤＣＩが異なる時間周波数リソースにおいて送信されたと仮定する、すなわち、第１の(Ｅ)ＰＤＣＣＨ候補と第２の(Ｅ)ＰＤＣＣＨ候補は、異なるチャネル条件（すなわち、
【数４３】
0006396445.tif 000044
）を受け、異なる(Ｅ)ＣＣＥは、異なるチャネル条件を受けうる。例えば、第１のＤＣＩと第２のＤＣＩは、それぞれ、ＰＤＣＣＨとＥＰＤＣＣＨにおいて、または、図６に示すように異なるＥＰＤＣＣＨ-ＰＲＢ-setのＥＰＤＣＣＨにおいて送信される、または、１つのＥＰＤＣＣＨ-ＰＲＢ-setの異なるＰＲＢにおいて、または、異なるサブフレームの(Ｅ)ＰＤＣＣＨにおいて、または、キャリアアグリゲーションにおける異なるコンポーネントキャリアにおける(Ｅ)ＰＤＣＣＨにおいて送信される。
【００４４】
第２の例において、異なる(Ｅ)ＣＣＥは異なるチャネル条件を有しうる。従って、第２のＤＣＩに対するＡＬの計算は、数式２によりＣＳＳおよびＵＳＳにおける全ての(Ｅ)ＰＤＣＣＨ候補において行われるべきである。ＣＳＳおよびＵＳＳにおける各(Ｅ)ＰＤＣＣＨ候補について、数式２による(Ｅ)ＰＤＣＣＨ候補の算出されたＡＬが入力された(Ｅ)ＰＤＣＣＨ候補のＡＬと一致する場合、入力された(Ｅ)ＰＤＣＣＨ候補は、第２の(Ｅ)ＰＤＣＣＨ候補に対して適切な(Ｅ)ＰＤＣＣＨ候補としてみなされる、すなわち、入力された(Ｅ)ＰＤＣＣＨ候補は、第２のＤＣＩを送信するために適切な(Ｅ)ＰＤＣＣＨ候補の上述のグループに付随するとみなされる。数式２による(Ｅ)ＰＤＣＣＨ候補の算出されたＡＬが入力された(Ｅ)ＰＤＣＣＨ候補のＡＬと一致しない場合、入力された(Ｅ)ＰＤＣＣＨ候補は、第２の(Ｅ)ＰＤＣＣＨ候補に対して適切な(Ｅ)ＰＤＣＣＨ候補としてみなされず、ＵＥ側において、この入力された(Ｅ)ＰＤＣＣＨ候補は、ＢＤに対して無視される。例えば、
【数４４】
0006396445.tif 000045
【数４５】
0006396445.tif 000046
【数４６】
0006396445.tif 000047
【数４７】
0006396445.tif 000048
【数４８】
0006396445.tif 000049
（相関値）とし、ある(Ｅ)ＰＤＣＣＨ候補に対して、
【数４９】
0006396445.tif 000050
(相関値)の場合、その(Ｅ)ＰＤＣＣＨ候補の算出されたＡＬは、
【数５０】
0006396445.tif 000051
となる。続いて、この(Ｅ)ＰＤＣＣＨ候補の実際のＡＬが算出されたＡＬと同じであるか判定される。同じであれば、この(Ｅ)ＰＤＣＣＨ候補は、第２のＤＣＩを送信するための適切な第２の(Ｅ)ＰＤＣＣＨ候補としてみなされる。同じでない場合、第２のＤＣＩを送信するための適切な第２の(Ｅ)ＰＤＣＣＨ候補としてみなされず、ＵＥ側において、ＢＤに対して無視される。
【００４５】
第２の例について、第２のＤＣＩのための適切な(Ｅ)ＰＤＣＣＨ候補、すなわち、上述のグループを判定するためのさらに効率的な方法が提案されている。この方法において、各ＡＬに対する、
【数５１】
0006396445.tif 000052
の範囲が算出され、あるＡＬにおける各(Ｅ)ＰＤＣＣＨ候補について、(Ｅ)ＰＤＣＣＨ候補の
【数５２】
0006396445.tif 000053
が、現在のＡＬにおける、
【数５３】
0006396445.tif 000054
の範囲にあるか判定される。(Ｅ)ＰＤＣＣＨ候補の
【数５４】
0006396445.tif 000055
が、その範囲にある場合、この(Ｅ)ＰＤＣＣＨは、第２のＤＣＩを送信するための適切な第２の(Ｅ)ＰＤＣＣＨ候補としてみなされる。そうでない場合、この(Ｅ)ＰＤＣＣＨは、第２のＤＣＩを送信するために適切な第２の(Ｅ)ＰＤＣＣＨ候補としてみなされず、ＵＥ側において、ＢＤに対して無視される。
【００４６】
例えば、
【数５５】
0006396445.tif 000056
【数５６】
0006396445.tif 000057
【数５７】
0006396445.tif 000058
(相関値)と仮定した場合、各ＡＬ（ＰＤＣＣＨと仮定）に対する、
【数５８】
0006396445.tif 000059
の範囲は、数式２により、以下のように算出される：
AL=８：
【数５９】
0006396445.tif 000060
丸め:
【数６０】
0006396445.tif 000061
切り捨て:
【数６１】
0006396445.tif 000062
切り上げ:
【数６２】
0006396445.tif 000063
AL=４:
【数６３】
0006396445.tif 000064
丸め:
【数６４】
0006396445.tif 000065
切り捨て:
【数６５】
0006396445.tif 000066
切り上げ:
【数６６】
0006396445.tif 000067
AL=２:
【数６７】
0006396445.tif 000068
丸め:
【数６８】
0006396445.tif 000069
切り捨て:
【数６９】
0006396445.tif 000070
切り上げ:
【数７０】
0006396445.tif 000071
AL=１:
【数７１】
0006396445.tif 000072
丸め:
【数７２】
0006396445.tif 000073
切り捨て:
【数７３】
0006396445.tif 000074
切り上げ:
【数７４】
0006396445.tif 000075
各ＡＬに対する、
【数７５】
0006396445.tif 000076
の範囲が算出された後で、ＡＬにおける、(Ｅ)ＰＤＣＣＨ候補の
【数７６】
0006396445.tif 000077
が、ＡＬに対する範囲と比較される。例えば、ＡＬ−８における、(Ｅ)ＰＤＣＣＨ候補の
【数７７】
0006396445.tif 000078
が、０．８の場合、(Ｅ)ＰＤＣＣＨ候補は、丸めまたは切り上げによる近似が行われたときは、第２のＤＣＩのための可能な候補になり、切り捨てによる近似が行われたときは、(Ｅ)ＰＤＣＣＨ候補は、第２のＤＣＩに対して適切な候補とならない。上記の処理を全ての(Ｅ)ＰＤＣＣＨ候補に対して繰り返した後で、第２のＤＣＩを送信するために適切な(Ｅ)ＰＤＣＣＨ候補の上述のグループが判定される。ＵＥ側において、上記のグループを判定後、第２のＤＣＩに対するＢＤ試行は、判定されたグループ内でのみ行われる。
【００４７】
さらに、第２の実施形態の改良として、判定されたグループ内の全てＰＤＣＣＨ候補または(Ｅ)ＰＤＣＣＨ候補がブロッキング(blocking)を生じさせている場合、判定されたグループ外の異なるＰＤＣＣＨ候補または(Ｅ)ＰＤＣＣＨ候補が第２のＤＣＩに対して使用される。換言すれば、上記の割り当て依存性は、必須ではないが、第１の選択である。従って、ＵＥ側において、第２のＤＣＩを送信するための適切なＰＤＣＣＨ候補または(Ｅ)ＰＤＣＣＨ候補のグループを判定後、ＵＥは、まず判定されたグループ内の第２のＤＣＩを検出し、第２のＤＣＩが判定されたグループ内においてうまく検出されなかった場合、判定されたグループ外のＰＤＣＣＨ候補または(Ｅ)ＰＤＣＣＨ候補をブラインド検出する。このようにして、ブロッキング比率を上げることなく、第２のＤＣＩは、従来のＢＤより早く検出されうる。
【００４８】
さらに、第２の実施形態の拡張として、ＵＥ固有のサーチスペース（ＵＳＳ）または共通のサーチスペース（ＣＳＳ）において判定されたグループ内のＰＤＣＣＨ候補またはＥＰＤＣＣＨ候補の合計数が判定されたグループ内で送信されるべきと判定された全てのＤＣＩの数より小さい場合、ＵＳＳまたはＣＳＳ外のＰＤＣＣＨ候補またはＥＰＤＣＣＨ候補は拡張される。例えば、３つの第２のＤＣＩが送信される必要があって、ＵＳＳまたはＣＳＳ内の２つの適切な(Ｅ)ＰＤＣＣＨ候補が数式２により判定された場合、ＵＳＳまたはＣＳＳ外のＥＰＤＣＣＨ候補は第２のＤＣＩを送信するために拡張される。拡張されたＥＰＤＣＣＨ候補の位置は、仕様において固定された、または、第１の(Ｅ)ＰＤＣＣＨ候補により非明示的に通知された、または、ＲＲＣシグナリングを使用して構成された定義済みのアルゴリズムに従って算出されうる。例えば、拡張された(Ｅ)ＰＤＣＣＨ候補は、第１の(Ｅ)ＰＤＣＣＨ候補へ所定のまたは通知された距離をおいて位置されうる。ここで、距離は、例えば、以下の第３の実施形態で使用される数式と類似した数式を用いて、
【数７８】
0006396445.tif 000079
【００４９】
を距離として用いることにより算出されうる。(Ｅ)ＰＤＣＣＨ候補をＵＳＳまたはＣＳＳ外に拡張する際には、数式２を適用することが好ましい。換言すれば、第２のＤＣＩに対して使用されるべき拡張された(Ｅ)ＰＤＣＣＨ候補は、数式２を成立すべきである。このようにして、第２のＤＣＩに対する要求された受信電力は、成立されうる。従って、ＵＥ側において、第２のＤＣＩを送信するための適切なＰＤＣＣＨ候補または(Ｅ)ＰＤＣＣＨ候補のグループを判定後、ＵＥ固有のサーチスペース（ＵＳＳ）または共通のサーチスペース（ＣＳＳ）において判定されたグループ内のＰＤＣＣＨ候補またはＥＰＤＣＣＨ候補の合計数が判定されたグループ内で送信されるべきと判定された全てのＤＣＩの数より小さい場合、ＵＥは、ＵＳＳまたはＣＳＳ内のＰＤＣＣＨ候補または(Ｅ)ＰＤＣＣＨ候補に加えて、ＵＳＳまたはＣＳＳ外のＰＤＣＣＨ候補またはＥＰＤＣＣＨ候補を含めた範囲で、第２のＤＣＩを検出する。
【００５０】
（第３の実施形態）
第３の実施形態は、第１の実施形態の好ましい実装であり、第１の実施形態の記載は、別段文脈によって示されない限り、第３の実施形態にも適用される。
【００５１】
第３の実施形態において、ＡＬにおける第２のＰＤＣＣＨ候補または(Ｅ)ＰＤＣＣＨ候補の割り当て位置は、定義済みのアルゴリズムに従ってＡＬにおける第１のＰＤＣＣＨ候補または(Ｅ)ＰＤＣＣＨ候補の割り当て位置に基づいて判定されうる。ここで、「割り当て位置」とは、ＡＬにおける(Ｅ)ＰＤＣＣＨ候補の通し番号、すなわち、ＡＬにおけるスタート候補からのオフセットを意味する。例えば、ＡＬにおける第１の割り当て位置は（すなわち、スタート(Ｅ)ＰＤＣＣＨ候補）は、位置“０”として表すことができ、第２の割り当て位置（すなわち、スタート(Ｅ)ＰＤＣＣＨ候補に隣接する(Ｅ)ＰＤＣＣＨ候補）は、位置“１”として表すことができる。
【００５２】
ＡＬ内の第２のＰＤＣＣＨ候補またはＥＰＤＣＣＨ候補の割り当て位置は、以下の次式によって判定されうることが好ましい：
【数７９】
0006396445.tif 000080
ただし、この数式において、
【数８０】
0006396445.tif 000081
【数８１】
0006396445.tif 000082
【数８２】
0006396445.tif 000083
【数８３】
0006396445.tif 000084
であり、
【数８４】
0006396445.tif 000085
は、ＡＬ-Lにおける第１のＰＤＣＣＨ候補または(Ｅ)ＰＤＣＣＨ候補の割り当て位置であり、
【数８５】
0006396445.tif 000086
は、ＡＬ-Lにおける第２のＰＤＣＣＨ候補または(Ｅ)ＰＤＣＣＨ候補の割り当て位置であり、
【数８６】
0006396445.tif 000087
は、ＡＬ-LにおけるＰＤＣＣＨ候補または(Ｅ)ＰＤＣＣＨ候補の数であり、ｐは、第１のＤＣＩとともに送信されるべきＤＣＩの中で第２のＤＣＩの通し番号を表し、
【数８７】
0006396445.tif 000088
は、３ＧＰＰ ＴＳ ３６．２１３（本明細書に参照により組み込まれている）において定義され、
【数８８】
0006396445.tif 000089
ただし、この数式において、
【数８９】
0006396445.tif 000090
【数９０】
0006396445.tif 000091
【数９１】
0006396445.tif 000092
【数９２】
0006396445.tif 000093
【数９３】
0006396445.tif 000094
であり、
【数９４】
0006396445.tif 000095
は、ＡＬ-L1における第１のＰＤＣＣＨ候補または(Ｅ)ＰＤＣＣＨ候補の割り当て位置であり、
【数９５】
0006396445.tif 000096
は、ＡＬ-L2における第２のＰＤＣＣＨ候補または(Ｅ)ＰＤＣＣＨ候補の割り当て位置であり、
【数９６】
0006396445.tif 000097
は、ＡＬ-LnにおけるＰＤＣＣＨ候補または(Ｅ)ＰＤＣＣＨ候補の数であり、Ｐは、第１のＤＣＩとともに送信されるべきＤＣＩの中で第２のＤＣＩの通し番号を表し、
【数９７】
0006396445.tif 000098
は、３ＧＰＰ ＴＳ ３６．２１３:“Evolved Universal Terrestrial Radio Access (E-UTRA); Physical layer procedures”（本明細書に参照により組み込まれている）において定義される。
【００５３】
上述の数式３または４において、第１のＤＣＩとともに送信されるべきＤＣＩの中で第２のＤＣＩの通し番号を表すパラメータｐが導入されている。２つ以上の第２のＤＣＩが第１のＤＣＩとともに送信される必要がある時、これらの第２のＤＣＩはブロッキングを回避するために異なる割り当て位置において送信される必要がある。従って、パラメータＰは、これらの第２のＤＣＩを異ならせるように示すために導入される。パラメータＰは、第１のＤＣＩとともに送信されるべき第２のＤＣＩが任意の順番で格納されるように判定され、“１”から始まる連続する通し番号（１、２、３・・・）が格納されたＤＣＩに割り当てられる。あるＤＣＩに割り当てられた通し番号は、そのＤＣＩのためのパラメータＰである。
【００５４】
図７は、本開示の第３の実施形態に係る、第１のＤＣＩに対する第２のＤＣＩの割り当て位置依存性を概略的に示す図である。図７の例において、第１のＤＣＩと第２のＤＣＩは、ＰＤＣＣＨにおいて送信され、第１のＤＣＩの割り当て位置は、ＡＬ−２において“０”（第１の位置）である。図７からわかるように、第２のＤＣＩの割り当て位置は、ＡＬ−２（第１のＤＣＩと同じＡＬ）において“１”または“２”、または、ＡＬ−１（第１のＤＣＩと異なるＡＬ）において“１”または“４”である。しかしながら、図７は、単なる例示であり、本開示を限定する意図はない。
【００５５】
第３の実施形態によれば、各第２のＤＣＩに対して、ＡＬごとに、１つのみ(Ｅ)ＰＤＣＣＨ候補が取得されうる。第３の実施形態を、第２のＤＣＩに対して、ＡＬが一意に判定される第２の実施形態の第１の例と組み合わせた場合、第２のＤＣＩに対して、第２の(Ｅ)ＰＤＣＣＨ候補は、一意に判定されることができ、従って、各第２のＤＣＩを1回で復号するようにＢＤ試行が減少されうる。
【００５６】
(Ｅ)ＰＤＣＣＨのブロッキングの可能性をさらに減らすために、第１の(Ｅ)ＰＤＣＣＨ候補に対する第２の(Ｅ)ＰＤＣＣＨ候補の割り当て位置の依存性をさらにランダム化するために、数式３または４にさらにパラメータが導入されうる。例えば、３つの新しいオフセットパラメータ（すなわち、q1、q2およびq3、qn=0、または、1、n=1、2、3）が数式３（数式４に対しても同様である）に導入されうる。この変更がされると、数式３は、次の数式５となる。
【数９８】
0006396445.tif 000099
【００５７】
数式５によれば、割り当て位置の依存性は、q1、q２およびq３により、さらにランダム化される。第１の実施形態において説明したように、オフセットパラメータは、第１のＰＤＣＣＨ候補またはＥＰＤＣＣＨ候補の割り当て位置により、および／または、第１のＤＣＩに対するＰＤＣＣＨまたはＥＰＤＣＣＨにおけるスクランブリングビットにより、および/または、第１のＤＣＩのＤＣＩフォーマットにより、非明示的に、または、ＲＲＣシグナリングにより、明示的に通知されうる。
【００５８】
さらに、第３の実施形態に対する変更として、上述の方法で判定された第２のＰＤＣＣＨ候補またはＥＰＤＣＣＨ候補の割り当て位置がブロッキングを生じさせている場合、異なる割り当て位置が第２のＰＤＣＣＨ候補またはＥＰＤＣＣＨ候補の割り当て位置として使用される。換言すれば、前述の割り当て依存性は必須ではないが、第１の選択である。従って、ＵＥ側において、上述の方法で、ＡＬにおける第２のＰＤＣＣＨ候補またはＥＰＤＣＣＨ候補の割り当て位置を判定後、ＵＥは、判定された割り当て位置において第２のＤＣＩを最初に検出するが、判定された割り当て位置において第２のＤＣＩが上手く検出されない場合、他の割り当て位置をブラインド検出する。このようにして、ブロッキング比率を上昇させることなく、第２のＤＣＩが従来のＢＤより早く検出されうる。
【００５９】
（代替手段）
第２のＤＣＩに対するＢＤ試行を減少させるための代替手段として、第２のＤＣＩに対する(Ｅ)ＰＤＣＣＨ候補の割り当てを通知するための第１のＤＣＩ（例えば、従来のＤＣＩ）において、インジケータが追加されうる。第１のＤＣＩを復号した後で、第２のＤＣＩに対する(Ｅ)ＰＤＣＣＨ候補はインジケータに従って判別されうる。ＢＤは必要としなくなり、第２のＤＣＩに対して“計画された復号(scheduled decoding)”が必要となるが、復号複雑性は大きく減少する。例えば、４ビットのインジケータが第１のＤＣＩにおいて、３ＧＰＰ ＴＳ ３６．２１３の表９．１．４−３ｂにおいて示されるＥＰＤＣＣＨ−ＰＲＢ−setにおける１つのＥＰＤＣＣＨ候補を明示的に通知するために追加されうる。
【００６０】
本発明は、ソフトウェア、ハードウェアまたはハードウェアと連携するソフトウェアによって実現され得る。上述した各実施形態の記述の中で使用される各機能ブロックは、集積回路などのＬＳＩによって実現され得る。それらは、チップとして個別に形成されるか、または、１つのチップが機能ブロックの一部または全てを形成できる。ここでのＬＳＩは、集積度の差異に応じて、ＩＣ、システムＬＳＩ、スーパＬＳＩ、ウルトラＬＳＩを指すことができる。しかしながら、集積回路を実装する技術はＬＳＩを限定するものではなく、専用回路または汎用プロセッサを使用して実現できる。また、ＬＳＩの製造後にプログラムできるＦＰＧＡ（フィールド・プログラマブル・ゲート・アレイ（Field Programmable Gate Array））またはＬＳＩ内部に配置される回路のセルの接続および設定を再構成できる再構成可能プロセッサが使用できる。さらに、各機能ブロックの計算は、例えば、ＤＳＰまたはＣＰＵを含む計算手段を使用して実行でき、各機能の処理ステップは実行するプログラムとして記録媒体上に記録できる。さらに、ＬＳＩを代替する集積回路を実装する技術が半導体技術または他の派生技術の進展に従って出現する場合、機能ブロックはこのような技術を使用して集積できることは明らかである。
【００６１】
本発明は、本発明の内容と範囲から逸脱することなく、本明細書と既知の技術の中で提示される記述に基づいて、当業者によって様々に変更または修正がされることを意図しており、そのような変更と適用は保護されるべき特許請求の範囲内に入ることに留意されたい。さらに、本発明の内容から逸脱しない範囲において、上述の実施形態の構成要素は任意に組み合わせることができる。
【図１】
0006396445.tif 000127
【図２】
0006396445.tif 000128
【図３】
0006396445.tif 000129
【図４】
0006396445.tif 000130
【図５】
0006396445.tif 000131
【図６】
0006396445.tif 000132
【図７】
0006396445.tif 000133